(57)【要約】【課題】コイン等の薄板形状の異物が外部接続端子周辺から筐体内部に誤って侵入するおそれがある。【解決手段】前面端子部４と外装部５とを有する端子本体２と、導電性のアース板３と、を有し、端子本体２は筐体に配置される際に、筐体の表面開口部から前面端子部４が露出するように配置され、表面開口部は前面端子部４の露出面より広く開口しており、前記外装部５の一部分は導電性を有し、筐体の裏面は導電性を有し、アース板３は外装部の導電性を有する部分と、筐体の裏面の導電性を有する部分とを電気的に接続するように形成される、外部接続端子１とする。【選択図】図１
2011228194.tif 000002
【特許請求の範囲】
【請求項１】
前面端子部と外装部とを有する端子本体と、
導電性のアース板と、
を有し、
前記端子本体は筐体に配置される際に、前記筐体の表面開口部から前記前面端子部が露出するように配置され、
前記表面開口部は前記前面端子部の露出面より広く開口しており、
前記外装部の一部分は導電性を有し、
前記筐体の裏面は導電性を有し、
前記アース板は前記外装部の導電性を有する部分と、前記筐体の裏面の導電性を有する部分とを電気的に接続するように形成される、
外部接続端子。
【請求項２】
前記アース板は前記外装部の側面から垂直に立ち上がる垂直板部を有し、
前記垂直部には切り起こし片が形成され、
前記切り起こし片は、前記前面端子部に向かう上り勾配を有するように前記外部接続端子後面側から前記外部接続端子前面側に形成された切り起こしであり、前記筐体の裏面の導電性を有する部分と電気的に接する、
請求項１記載の外部接続端子。
【請求項３】
前記端子本体は略直方体であり、
前記外装部の上面部と底面部と左右の側面部は導電性を有し、
前記アース板は前記外装部の前記上面部と前記底面部と前記左右の側面部から垂直に立ち上がる導電性の４枚の垂直板部を有し、
前記４枚の垂直板部にはそれぞれ切り起こし片が形成され、
前記切り起こし片は、前記前面端子部に向かう上り勾配を有するように前記外部接続端子後面側から前記外部接続端子前面側に形成された切り起こしであり、前記筐体の裏面の導電性を有する部分と電気的に接する、
請求項１記載の外部接続端子。
【発明の詳細な説明】
【技術分野】
【０００１】
本発明は外部接続端子に関し、更に詳しくは電子機器の筐体表面に露出しても、表面開口部との隙間に薄板状の異物が侵入することを防ぐ機構を備えた外部接続端子に関する。
【背景技術】
【０００２】
近年、電子機器には多数の外部接続端子が設けられている。外部接続端子の接続端子部が電子機器の筐体の表面開口部から露出し、接続端子部にＬＡＮケーブル端子やＨＤＭＩケーブル端子などを接続することにより、外部機器との通信が可能となっている。
【０００３】
一般に、外部接続端子の外装と電子機器の筐体表面とは電気的に接続されている。通常、電子機器の筐体表面はアース板としての機能を有しているので、外部接続端子周辺からの不要な電磁波の輻射を避ける為に、外部接続端子の外装がアース接続されるのである。
【０００４】
例えば、特許文献１には、次のような技術が開示されている。
【０００５】
図４は従来の外部接続端子を表す図である。
【０００６】
シールドケース１０１によってシールドされた外部接続端子１０２において、シールドケース１０１に切り起こしからなる接触部材１０３を形成し、筐体面１０４と接触部材１０３とを接触させる技術が開示されている。
【０００７】
図５は従来の外部接続端子が筐体面に当接する様子を表す斜視図である。
【０００８】
このようにすれば、筐体面１０４が接触部材１０３と確実に接触し、外部接続端子１０２を容易にアース接続することができる。
【先行技術文献】
【特許文献】
【０００９】
【特許文献１】特開２００５−１０８８８１号公報
【発明の概要】
【発明が解決しようとする課題】
【００１０】
しかしながら前記従来の技術のようにしてシールドケースに切り起こしを形成すると、コイン等の薄板形状の異物が外部接続端子周辺から筐体内部に誤って侵入するおそれがある。
【００１１】
例えば筐体が外部接続端子に比べて巨大となると、組み立て精度の問題から、表面開口部と外部接続端子との間に隙間が形成されることが多い。従来技術で言えば、設計段階では筐体面１０４が接触部材１０３と密着するような設計であっても、実際はわずかな隙間が生じ、接触部材が外部に露出することが多い。
【００１２】
図６は従来の外部接続端子と筐体面との間に薄板形状の異物が入り込む様子を表した図である。（ａ）は側面図、（ｂ）は（ａ）において破線で囲んだ部分の拡大図である。（ａ）において異物１０５の先端は外部接続端子１０２と筐体面１０４との隙間に当接している。当接の様子を表す為に（ａ）において破線で囲んだ部分を（ｂ）で拡大図として表した。（ｂ）において明らかなように、従来技術において筐体面１０４と接触部材１０３との間に微小な隙間が生じている。その隙間に異物１０５が図面上の右方向に挿入されると、接触部材１０３の切り起こしがてこの原理で下方向に弾性変形し、外部接続端子１０２と筐体面１０４との間に十分な隙間が形成され異物１０５が筐体内部に進入してしまう。または、さらに隙間が拡大すれば、接触部材１０３が異物１０５に当接することなく、異物１０５の進入を許してしまう。
【００１３】
つまり、従来の技術では、筐体面と外部接続端子の間が設計以上に開いた場合、薄板形状の異物が外部接続端子と表面開口部との隙間から筐体内部に侵入してしまうという問題点があった。
【００１４】
本発明は、上記事情に鑑みてなされたものであって、筐体面とのアース接続を確実に行いつつも、薄板形状の異物が外部接続端子と表面開口部との隙間から筐体内部に侵入してしまうことを防止する外部接続端子を提供することを目的としている。
【課題を解決するための手段】
【００１５】
前記従来の課題を解決する為に本発明の外部接続端子は、前面端子部と外装部とを有する端子本体と、導電性のアース板と、を有し、前記端子本体は筐体に配置される際に、前記筐体の表面開口部から前記前面端子部が露出するように配置され、前記表面開口部は前記前面端子部の露出面より広く開口しており、前記外装部の一部分は導電性を有し、前記筐体の裏面は導電性を有し、前記アース板は前記外装部の導電性を有する部分と、前記筐体の裏面の導電性を有する部分とを電気的に接続するように形成される、外部接続端子とした。
【発明の効果】
【００１６】
本発明の外部接続端子によれば、開口部と外部接続端子との隙間に薄板形状の異物が挿入されても、外装部と筐体裏面を連結するアース板がその侵入を阻害することができる。
【図面の簡単な説明】
【００１７】
【図１】本発明の一実施の形態にかかる外部接続端子の右前方からの斜視図
【図２】本発明の一実施の形態にかかる外部接続端子が電子機器等の筐体に配置された様子を表す図
【図３】本発明の一実施の形態にかかる外部接続端子が電子機器等の筐体に配置された際の上面図
【図４】従来の外部接続端子を表す図
【図５】従来の外部接続端子が筐体面に当接する様子を表す斜視図
【図６】従来の外部接続端子と筐体面との間に薄板形状の異物が入り込む様子を表した図
【発明を実施するための形態】
【００１８】
以下、本発明の一実施の形態について図１から図３を参照しながら説明する。
【００１９】
図１は本発明の一実施の形態にかかる外部接続端子の右前方からの斜視図である。図１を参照しながら外部接続端子１の構成について説明する。
【００２０】
外部接続端子１は略直方体の端子本体２と導電性のアース板３とからなる。端子本体２は前面端子部４と外装部５とからなる。外装部５の上面部と底面部と左右の側面部は導電性を有する。アース板３は外装部５の上面部と底面部と左右の側面部から垂直に立ち上がる導電性の４枚の垂直板部６と、垂直板部６から形成された切り起こし片７とからなる。アース板３は外装部５と嵌合されて、端子本体２と一体となり外部接続端子１を形成している。なお外部接続端子１はそれぞれ４つの垂直板部６および切り起こし片７を有しているが符号を付したのは便宜上正面右側のもののみとした。
【００２１】
この外部接続端子１は電子機器等の筐体に配置されて使用される。続いて図２を参照しながら、外部接続端子１が電子機器等の筐体に配置されている様子を説明する。
【００２２】
図２は本発明の一実施の形態にかかる外部接続端子が電子機器等の筐体に配置された様子を表す図である。端子本体２は筐体に配置される際に、筐体の表面開口部８から前面端子部４が露出するように配置される。また、表面開口部８は前面端子部４の露出面より広く開口しており、わずかな隙間が生じていることがわかる。また、筐体の裏面は導電性を有する。
【００２３】
外部接続端子１と筐体の表面開口部８及び筐体の裏面との配置の様子を、図３を参照しながらさらに詳しく説明する。
【００２４】
図３は本発明の一実施の形態にかかる外部接続端子が電子機器等の筐体に配置された際の上面図である。
【００２５】
切り起こし片７が前面端子部４に向かう上り勾配を有するように、外部接続端子１後面（図の下方側）から外部接続端子１前面（図の上方側）に形成された切り起こしであることがわかる。さらに切り起こし片７は導電性を有する筐体の裏面と接触し、電気的に接続された形となる。
【００２６】
このようにすると、次のような作用がある。すなわち、第一に外装部５、アース板３、筐体の裏面が電気的に接続された形となり、筐体からの不要輻射が減少し、外部接続端子１に悪影響を与えるノイズも低減する。第二に、アース板３が外装部５と筐体の裏面を接続することによって筐体内部に隙間と連結した微小な閉空間が形成されるので、コイン９のような薄板形状の異物が外部接続端子１と表面開口部８との間の隙間から侵入した場合はそのような閉空間にコイン９が閉じ込められる。すなわち、アース板３がコイン９の侵入経路を塞ぐように配置されているため、コイン９が筐体内部に完全に挿入されることがない。
【００２７】
ここで、本実施の形態のように、アース板３は外装部５の上面部と底面部と左右の側面部から垂直に立ち上がる導電性の４枚の垂直板部６と、垂直板部６から形成された切り起こし片７とから形成し、かつ切り起こし片７が前面端子部４に向かう上り勾配を有するように、外部接続端子１後面（図の下方側）から外部接続端子１前面（図の上方側）に形成することでさらに次のような利点がある。
【００２８】
すなわち、第一に外装部５のすべての面から切り起こし片７が筐体裏面に接続されているので、外部接続端子１と表面開口部８との間の隙間において、どの方向からコイン９が挿入されても確実に侵入を阻害することができる。第二に切り起こし片７が前面端子部４に向かう上り勾配を有することで、コイン９によって、切り起こし片７がこじられ、変形することが防がれる。第三に、従来技術のようにアース板が筐体の縁と接するのではなく、裏面と接するので、組み立て精度の関係から表面開口部８がコイン９の厚さに対し著しく広く形成されても確実な接地を実現し、設計誤差によってコイン９が侵入しやすくなるということもない。
【００２９】
また、切り起こし片７は適度な弾性をもって筐体の裏面に当接するので、確実に筐体に当接し、ネジ等を使用してアース板３を筐体に接続する必要がなくなる。また、切り起こし片７が適度な弾性をもって筐体の裏面に当接すると筐体の変形も防ぐことができる。
【００３０】
なお、本実施の形態のように、切り起こし片７の先端に筐体の裏面と平行になるような面を形成するために、切り起こし片７に曲げ加工をしてもよい。このようにすると、切り起こし片７の先端が筐体の裏面と一体となり接地するので、接地特性が良好なだけでなく、コイン９が切り起こし片７の先端と当接する為の角度を深くすることが可能となる。よってコイン９が切り起こし片７でなく、垂直板部６と当接する可能性が高くなり、より一層、切り起こし片７が変形してしまうことを防ぐことができる。
【００３１】
また、本発明の適用される外部接続端子は本実施の形態のように直方体に限られるものではなくとも、アース板が外装部と筐体の裏面を接続できるものであればよい。
【００３２】
また、本発明の適用される外部接続端子は本実施の形態のように外装部の側面全てにアース板が形成される必要はない。例えば外部接続端子１が筐体の底部に配置されるなどの場合は上面部、左右側面部にアース板を形成すれば、薄板形状の異物の侵入を防ぐことができる。
【産業上の利用可能性】
【００３３】
本発明の外部接続端子は、薄板形状の異物の侵入を防ぐことができるので、例えば薄型テレビ筐体の裏面等の異物が侵入しやすい部位に配置される外部接続端子として有用である。
【符号の説明】
【００３４】
１    外部接続端子
２    端子本体
３    アース板
４    前面端子部
５    外装部
６    垂直板部
７    切り起こし片
８    表面開口部
９    コイン
１０１  シールドケース
１０２  外部接続端子
１０３  接触部材
１０４  筐体面
１０５  異物
【図１】
2011228194.tif 000003
【図２】
2011228194.tif 000004
【図３】
2011228194.tif 000005
【図４】
2011228194.tif 000006
【図５】
2011228194.tif 000007
【図６】
2011228194.tif 000008